(57)【特許請求の範囲】
【請求項１】
呼吸治療を患者へともたらすための患者インターフェイスアセンブリであって、
・入口ポートおよび出口ポートを定めており、入口ポートが該入口ポートへと加圧ガスの流れをもたらすドライバへと接続されるように構成されているハウジング、
・前記ハウジング内に配置され、前記入口ポートから前記加圧ガスの流れを受け取り、該加圧ガスの流れを前記出口ポートへともたらすように配置されたジェットポンプ、および
・前記出口ポートへと流体に関して接続され、該出口ポートから前記加圧ガスの流れを受け取り、該加圧ガスの流れへと薬剤を導入し、薬剤入りのガスの流れを患者へともたらすネブライザ
を備えている患者インターフェイスアセンブリ。
【請求項２】
前記ハウジングが、外気を受け入れるように流体に関して接続された取り込みポートを備えており、前記ジェットポンプが、前記入口ポートからの前記加圧ガスの流れと前記取り込みポートからの外気とを混合するように構成されている、請求項１に記載の患者インターフェイスアセンブリ。
【請求項３】
前記ハウジングが、前記出口ポートを介して患者から受け取られる空気を該ハウジングから排出するように構成された呼気ポートをさらに備えている、請求項１に記載の患者インターフェイスアセンブリ。
【請求項４】
前記呼気ポートに配置されたフィルタをさらに備えている、請求項３に記載の患者インターフェイスアセンブリ。
【請求項５】
前記ハウジングの内部を外気に流体に関して接続する単一のポートをさらに備えており、該単一のポートが、外気を前記ジェットポンプの上流で前記ハウジングの内部へと流体に関して接続する取り込みポートと、外気を前記ジェットポンプの下流で前記ハウジングの内部へと流体に関して接続する呼気部とを形成している、請求項１に記載の患者インターフェイスアセンブリ。
【請求項６】
前記ジェットポンプが、取り込み領域、スロート領域、および膨張領域を定めているベンチュリアセンブリを備えている、請求項１に記載の患者インターフェイスアセンブリ。
【請求項７】
前記ジェットポンプが、前記ハウジング内を前記入口ポートおよび前記出口ポートに対する方向にスライド可能である、請求項１に記載の患者インターフェイスアセンブリ。
【請求項８】
前記ハウジング内に配置され、前記ジェットポンプを前記入口ポートに向かって付勢するばねをさらに備えている、請求項７に記載の患者インターフェイスアセンブリ。
【請求項９】
前記入口ポートへともたらされる加圧ガスの流れに応答してたわんで、前記ジェットポンプを前記出口ポートへと向かう方向に押すように構成されたダイアフラム
をさらに備えている、請求項７に記載の患者インターフェイスアセンブリ。
【請求項１０】
前記ハウジングから空気を排出するように構成された呼気ポートと、前記ジェットポンプが前記出口ポートに向かってスライドするにつれて前記呼気ポートと前記出口ポートとの間にシールが徐々に形成されるように前記ハウジングに配置された漸進式シールと、をさらに備えている、請求項７に記載の患者インターフェイスアセンブリ。
【請求項１１】
前記ハウジングが、前記ネブライザを該ハウジングへと流体に関して接続するためのネブライザポートを備えている、請求項１に記載の患者インターフェイスアセンブリ。
【請求項１２】
呼吸治療を患者へともたらすためのシステムであって、
・加圧ガスの流れをもたらすように構成されたドライバユニット、
・前記ドライバユニットへと流体に関して接続され、入口ポートと、出口ポートと、入口ポートと出口ポートとの間に配置されたジェットポンプとを備えており、前記入口ポートが、前記ドライバユニットから前記加圧ガスの流れを受け取るように配置され、前記ジェットポンプが、前記入口ポートからガスの流れを受け取って、前記出口ポートへと届けるように配置されている患者インターフェイス装置、および
・前記出口ポートへと流体に関して接続され、該出口ポートから前記加圧ガスの流れを受け取り、該加圧ガスの流れへと薬剤を導入し、薬剤入りのガスの流れを患者へともたらすネブライザ
を備えているシステム。
【請求項１３】
前記患者インターフェイス装置が、取り込みポートおよび呼気ポートを定めており、
前記ジェットポンプが、前記入口ポートからの加圧ガスと前記取り込みポートからの外気とを混合して、混合後のガスの流れを前記出口ポートへともたらすように構成されており、
前記呼気ポートが、患者から受け取られる空気を前記患者インターフェイス装置から排出するように構成されている、請求項１２に記載のシステム。
【請求項１４】
前記ジェットポンプが、取り込み領域、スロート領域、および膨張領域を定めているベンチュリアセンブリを備えている、請求項１２に記載のシステム。
【請求項１５】
前記患者インターフェイス装置が、ハウジングを備えており、
前記ジェットポンプが、前記ハウジング内を前記入口ポートおよび前記出口ポートに対する方向にスライド可能である、請求項１２に記載のシステム。
【請求項１６】
前記ハウジングが、前記ジェットポンプを前記入口ポートに向かって付勢するように構成されたばねをさらに含んでいる、請求項１５に記載のシステム。
【請求項１７】
前記ハウジングが、前記ネブライザを該ハウジングへと流体に関して接続するためのネブライザポートを備えている、請求項１５に記載のシステム。
【請求項１８】
患者圧力配管が、前記ドライバユニットへと流体に関して接続され、前記ジェットポンプと出口ポートとの間で前記患者インターフェイス装置へと流体に関して接続されている、請求項１２に記載のシステム。
【請求項１９】
呼吸治療のための方法であって、
・ハウジングの入口ポートへと加圧ガスの流れをもたらすステップ、
・前記ハウジングの取り込みポートから外気を引き込むステップ、
・前記ハウジングの内部に配置されたジェットポンプを使用して、前記加圧ガスの流れを前記外気と混合するステップ、
・混合後の空気を前記ジェットポンプからネブライザへともたらすステップ、
・前記ネブライザを使用して前記ガスの流れへと薬剤を導入するステップ、および
・薬剤入りのガスの流れを提供するステップ
を含んでいる方法。
【請求項２０】
前記ハウジングに空気を排気するための呼気ポートを設けるステップをさらに含んでいる、請求項１９に記載の方法。
【請求項２１】
・前記加圧ガスの流れを前記ジェットポンプの取り込み領域において外気と混合するステップ、
・混合後の空気を前記ジェットポンプのスロート領域に通すステップ、および
・混合後の空気を前記ジェットポンプの膨張領域へともたらすステップ
をさらに含んでいる請求項１９に記載の方法。
【請求項２２】
前記ジェットポンプが、前記ハウジングに対してスライド可能である、請求項１８に記載の方法。
【請求項２３】
ばねが、前記ジェットポンプを前記入口ポートへと向かう方向に前記ハウジングに対して付勢している、請求項２２に記載の方法。
【請求項２４】
前記ハウジングが、前記ネブライザを該ハウジングへと流体に関して接続するネブライザポートを備えている、請求項１９に記載の方法。
【請求項２５】
前記ハウジングの圧力ポートから前記ドライバユニットへと延びている圧力配管をパージするステップをさらに含んでいる、請求項１８に記載の方法。
【発明の詳細な説明】
【技術分野】
【０００１】
本出願は、２００７年１１月１９日付の米国特許仮出願第６０／９８８，９７７号にもとづいており、この米国特許仮出願の利益を主張する。また、本出願は、本出願と同日付の「電気機械式ドライバを備えた呼吸療法システム（Ｒｅｓｐｉｒａｔｏｒｙ  Ｔｈｅｒａｐｙ  Ｓｙｓｔｅｍ  Ｗｉｔｈ  Ｅｌｅｃｔｒｏｍｅｃｈａｎｉｃａｌ  Ｄｒｉｖｅｒ）」という名称の米国特許出願第１２／２７４，０６６号に関係する。これら両出願の内容は、その全体がここでの言及によって本明細書に援用される。
【０００２】
本発明は、呼吸治療システムおよび装置に関する。より詳しくは、本発明は、薬剤を届けるために呼吸治療システムへと接続されるように構成された患者インターフェイスアセンブリに関する。
【背景技術】
【０００３】
幅広くさまざまな呼吸治療装置が、患者の呼吸器の健康状態を支援、治療、および改善するために、現時点において利用可能である。例えば、気道陽圧（ＰＡＰ）が、うっ血性心不全の患者において酸素の摂取の改善、肺容量の増加、および静脈還流の減少を促すことによって気管支の清浄化を促進するうえで、効果的なツールであると古くから考えられている。より最近では、ＰＡＰは、患者の肺からの分泌物（例えば、粘液）の可動化および除去を促進するうえで、有用であると考えられている。この点に関して、患者の気柱の高周波振動（ＨＦＯ）の形態の呼気気道陽圧（ＥＰＡＰ）が、分泌物の除去を促進する技術であると考えられている。一般論として、ＨＦＯは、体外で唾液の粘度を低下させ、このことは、体外での疑似の咳によって生じる除去に好ましい影響を有する。ＨＦＯは、患者の胸壁へと加えられる力（すなわち、胸部理学療法（ＣＰＴ））や、患者の気道へと直接的に加えられる力（すなわち、高周波気道振動などの呼吸治療）によってもたらすことができ、あるいは生成することができる。多くの患者および介護士には、強圧的ではなく、より容易に実施することができるため、呼吸治療法の方がより好まれている。このために、ＰＡＰによる気管支清浄化技法が、肺の拡張および分泌物の可動化のためのＣＰＴの効果的な代案として浮上してきている。
【０００４】
上述の呼吸治療（高周波肺内パーカッション療法）（ならびに、他の治療および／または換気）を提供するために、種々のＨＦＯ処置システムが、利用可能である。一般的には、高周波肺内パーカッション（ＨＦＩＰ）システムは、陽圧のガス（例えば、空気、酸素、など）の供給源が流体に関して接続される患者の呼吸回路を確立する手持ち式の装置を含んでいる。この点に関し、さらにこのシステムは、供給される陽圧のガスに対して作用して、患者の呼吸回路へのガスについて、振動性の圧力の推移または他のやり方で達成される間欠的な流れを生み出し、患者の肺のパーカッション換気を生み出すドライバユニットを含んでいる。この手法によれば、患者は、呼吸回路のマウスピース（あるいは、マスク）を介して呼吸し、生成されたガスの大流量の「ミニバースト」が、患者の気道へと届けられる。パルス状のパーカッション気流が、患者の気道の圧力を周期的に高める。
【０００５】
現在のＨＦＯ処置システムを、エアロゾル化された薬剤を患者へと届けるために、ネブライザとともに使用することもできる。ネブライザを、患者インターフェイス回路を通って患者へと薬剤入りのガスを届けるために、ドライバユニットへと流通可能に接続することができる。患者インターフェイス回路の従来からの構成は、薬剤入りのガスを患者へと届けるために、外気によって装置の内部に薬剤を取り込んでいる。これらの構成は、装置内部の薬剤の蓄積が増加し、患者へと届けられる薬剤の量が減少する薬剤の「ノックダウン」につながる可能性がある。したがって、患者へと薬剤を届ける改良された呼吸治療システム、とくには患者インターフェイスアセンブリについて、ニーズが存在している。
【発明の概要】
【０００６】
本明細書において提示される考え方は、呼吸治療を患者へともたらすための患者インターフェイスアセンブリに関する。このアセンブリが、入口ポートおよび出口ポートを定めるハウジングを備えている。入口ポートを、ドライバユニットによって生成される加圧ガスの流れを受け取るために、ドライバユニットへと接続することができる。ハウジング内に配置されたジェットポンプが、前記入口ポートから加圧ガスの流れを受け取り、この加圧ガスの流れを前記出口ポートへともたらす。ネブライザが、加圧ガスの流れを受け取るべく前記出口ポートへと流体に関して接続され、このガスの流れへと薬剤を導入して、薬剤入りのガスの流れを患者へともたらす。
【０００７】
さらに、患者インターフェイスアセンブリの態様を、呼吸治療をもたらすためのシステムおよび方法へと取り入れることができる。さらには、他の態様をアセンブリへと追加、除去、および／または変更することができる。例えば、ハウジングが、取り込みポート、呼気ポート、ネブライザポート、および圧力ポートのうちの１つ以上を備えることができる。さらに、ジェットポンプが、ハウジング内でスライド可能であってよく、取り込み領域、スロート領域、および／または膨張領域を含むことができる。
【図面の簡単な説明】
【０００８】
【図１】呼吸治療システムの概略図である。
【図２】他の呼吸治療システムの概略図である。
【図３】他の呼吸治療システムの概略図である。
【図４】他の呼吸治療システムの概略図である。
【図５】他の呼吸治療システムの概略図である。
【図６】他の呼吸治療システムの概略図である。
【図７】他の呼吸治療システムの概略図である。
【図８】他の呼吸治療システムの概略図である。
【図９】他の呼吸治療システムの概略図である。
【図１０】他の呼吸治療システムの概略図である。
【図１１】他の呼吸治療システムの概略図である。
【図１２】他の呼吸治療システムの概略図である。
【図１３】他の呼吸治療システムの概略図である。
【図１４】他の呼吸治療システムの概略図である。
【図１５】患者インターフェイス装置の第１の実施形態の図である。
【図１６】患者インターフェイス装置の第１の実施形態の図である。
【図１７】患者インターフェイス装置の第２の実施形態の図である。
【図１８】患者インターフェイス装置の第３の実施形態の図である。
【図１９】患者インターフェイス装置の第３の実施形態の図である。
【図２０】患者インターフェイス装置の第３の実施形態の図である。
【図２１】ドライバユニットを患者インターフェイス装置へと流体に関して接続するための複数のポートを有しているコネクタの図である。
【発明を実施するための形態】
【０００９】
図１は、ドライバユニット２２と、患者インターフェイス回路として機能し、使用時に患者２５への／患者２５からの呼吸ルートを確立する患者インターフェイス装置２４とを備える呼吸治療システム２０の一実施形態の概略図である。とくには、呼吸ルートが、患者２５の気道（例えば、口腔、副鼻腔）へと延びている。一実施形態においては、気道への呼吸ルートを、挿管法によって患者２５と確立することができる。さらに、所望であれば、システム２０を、人工呼吸器ありで使用することができ、あるいは人工呼吸器なしで使用することができる。種々の構成要素の詳細が、以下で説明される。しかしながら、一般に、ドライバユニット２２が、加圧ガス（例えば、空気、酸素、など）の供給源（総称的に、供給源２６）に流体に関して接続されるように構成され、入口配管３０と出口配管３２との間の流路に配置された１つ以上の電子弁の動作を制御するコントローラ２８を備えている。さらに詳しくは、電子弁が、入口配管３０における供給源２６からの加圧ガスの流れに作用し、出口配管３２を介する患者インターフェイス装置２４への所望の流れ／圧力を生成または供給する。
【００１０】
後述されるように、ドライバユニット２２は、いくつかの異なる構成要素または特徴を含むことができ、システム２０は、ネブライザ３４など、他の随意による構成要素を含むことができる。システム２０において使用することができるネブライザの１つの種類は、オハイオ州ダブリン（Ｄｕｂｌｉｎ）のカーディナル・ヘルス（Ｃａｒｄｉｎａｌ  Ｈｅａｌｔｈ）から市販されているエアーライフ（ＡｉｒＬｉｆｅ：登録商標）ブランド・ミスティ・マックス１０（Ｂｒａｎｄ  Ｍｉｓｔｙ  Ｍａｘ  １０：商標）というネブライザである。ネブライザ３４を使用する場合には、補助配管３５が、ドライバユニット２２からネブライザ３４へと延びる。コントローラ２８を、補助配管３５を介してネブライザ３４へと所望の流れ／圧力を供給するように、ドライバユニット２２を動作させるために使用することができる。いずれにせよ、システム２０は、ドライバユニット２２の動作によって患者へと高周波の圧力パルス（例えば、パーカッション治療）をもたらすことができ、もたらすことができる周波数および圧力について、従来からの空気弁ベースのドライバユニットに比べて、より大きな範囲を提供することができる。患者インターフェイス装置２４内の圧力を測定および／または監視できるよう、患者インターフェイス装置を再びドライバユニット２２へと流体に関して接続するために、患者圧力配管３６を設けることができる。コントローラ２８を、患者インターフェイス装置２４において測定される圧力にもとづいて患者２５への空気の送達を制御するように構成することができる。ドライバユニット２２は、例えば患者圧力配管３６をパージして、患者圧力配管３６における流体の過剰な蓄積を防止するように機能する電子弁や、圧力センサのゼロ調整を可能にする電子弁など、さらなる電子弁を含むことができる。一実施形態においては、ドライバユニット２２を、ドライバユニット２２の動作に関する情報および／または患者に関する他の情報をもたらすために、例えばナースステーションなどの中央処理ステーションへと接続することができる。
【００１１】
図２にさらに詳しく示されるように、ドライバユニット２２は、コントローラ２８に加えて、いくつかの他の構成要素を含むことができ、そのそれぞれが、可搬のハウジング３７内に保持され、あるいは可搬のハウジング３７によって保持される。例えば、図２の一構成においては、ドライバユニット２２は、連続的な高周波圧力パルスの生成において供給される加圧ガスに対して働くように構成された電子弁４０（例えば、電磁比例弁）を含んでいる。あるいは、複数のオンオフ式の電磁弁を、電子弁４０を補い、さらには／あるいは置き換えるために使用することもできる。さらに、電子弁４０を、ベースライン圧力、気道陽圧（ＰＡＰ）、持続的気道陽圧（ＣＰＡＰ）、などの送出を実現するために、供給される加圧ガスに対して選択的に作用するように構成することもできる。２つのレベルの圧力をもたらすバイレベルＰＡＰ（ＢｉＰＡＰ）など、他の形態の気道陽圧も使用することができる。いずれにせよ、ＰＡＰが、ドライバユニット２２のマニホールドセンサから制御される一方で、ＣＰＡＰは、患者圧力配管３６に流体に関して接続された患者圧力センサから制御される。電子弁４０が、入口配管３０と出口配管３２との間に流体に関して接続され、コントローラ２８へと電子的に接続されている。したがって、コントローラ２８が、コントローラ２８が維持するプログラミング（例えば、ソフトウェアおよび／またはハードウェア）にもとづいて電子弁４０の動作を制御する。この点に関し、コントローラ２８は、電子弁４０（ならびに、後述される他の要素）への電力の送達を制御することができ、電源（図示されていない）がコントローラ２８へと電気的に接続されている。電源は、ハウジング３７内に維持される電池や、従来からの壁の電源への接続のための電源コードなど、さまざまな形態をとることができる。
【００１２】
電子弁４０は、入口側４２および出口側４４を含んでおり、あるいは定めている。入口側４２が、ハウジング３７の内部の内部入口配管４６に流体に関して接続されている一方で、出口側４４は、ハウジング３７の内部の内部出口配管４８に流体に関して接続されている。内部入口配管４６は、入口配管３０に流体に関して接続されており、内部出口配管４８は、出口配管３２に流体に関して接続されている。したがって、この構成によれば、入口配管３０へともたらされるガスの流れが、電子弁４０へと届けられる。電子弁４０は、供給源２６からの加圧ガスの流れに対して作用したときに高周波圧力パルスを導入または生成するために適切な種々の形態をとることができる。より詳しくは、システム２０が病院において用意される「標準的」な供給源のガス圧（例えば、４０〜７０ｐｓｉの範囲の圧力に保たれる酸素または空気）において使用されるように構成される実施形態においては、電子弁４０が、広い範囲の周波数および圧力にわたるパルス状の圧力の流れを生成するために、コントローラ２８からの信号に応答して内部のオリフィスを繰り返し開閉する（すなわち、ガスの通過を許容および阻止する）ように構成される。例えば、いくつかの構成においては、電子弁４０が、１〜２５Ｈｚの範囲の周波数で圧力パルスを生成することができる。１Ｈｚ未満および／または２５Ｈｚ超（例えば、３０Ｈｚまたは４０Ｈｚといった高さ）など、他の周波数も実現可能である。
【００１３】
従来からの空気シャトル弁ベースのドライバユニットと比べて、本発明の電子弁４０は、より精密な制御ならびに動作周波数および圧力の範囲の拡大に関して、特筆すべき利点をもたらす。さらには、空気弁はチャージングを必要とし、したがって大きな初期の圧力パルスを患者へともたらす。さらに、電子弁４０を電子的に制御することによって、供給源２６のガス圧が変化しても、電子弁４０によって生成されるパルスの形状への影響はわずかまたは皆無であり、したがって予期せぬ高圧を回避しつつ一貫した治療をもたらすことができる。またさらには、電子的に制御される弁４０は、振動圧力モードでの動作において「ストール」することがなく、したがって高い定圧が患者へと予期せずに送出されるという市販の空気弁ドライバユニットにおいて見られる厄介な問題が回避される。さらに、ドライバユニット２２内のパラメータを監視することによって、ドライバユニット２２は、望ましくない状況を防止することによって安全性を高めることができ、さらには／あるいは介護士に警報すべくアラームをもたらすことができる。電子弁４０を、所望であれば、持続的気道陽圧を達成するために設けることもできる。さらに電子弁４０を、死空間を少なくするように構成することができる。一特定の実施形態においては、死空間が、２立方インチ未満まで減らされる。
【００１４】
上述の電子弁４０に加えて、ドライバユニット２２は、電子的にコントローラ２８へと接続されてコントローラ２８によって制御される随意によるパージ電子弁５０を含んでいる。一実施形態においては、パージ電子弁５０が、電磁弁であってよい。図２の一構成においては、パージ電子弁５０が、電子弁４０と並列に内部入口配管４６に流体に関して接続されており、患者インターフェイス２４からドライバユニット２２へとつながる患者圧力配管３６をパージするように機能する。パージ電子弁５０は、内部入口配管４６へと流体に関して接続された入口側５２と、パージ配管５６へと流体に関して接続された出口側５４とを有している。パージ配管５６は、パージ電子弁５０によって蓄積しうる流体（とくには、患者２５から排出される液体および／または他の粒子）を患者圧力配管３６から取り除くべく動作できるように、患者圧力配管３６へと流体に関して接続されている。
【００１５】
この目的のため、患者センサゼロ調整電子弁６０（例えば、電磁弁）を、パージ電子弁５０と協働するように設けることができる。ゼロ調整電子弁６０は、電子的にコントローラ２８へと接続されてコントローラ２８によって制御され、入口側６２、出口側６４、および排気側６６を含んでいる。通常の動作において、ゼロ調整電子弁６０は、常時「開」の位置にあり、流体が患者圧力配管３６から患者圧力センサ６７（さらに詳しくは、後述）へと流れることができる。患者圧力配管３６がパージされるとき、ゼロ調整電子弁６０が閉じられ、患者圧力センサ６７が、環境へと開いている（例えば、流体に関してハウジング３７の外部へと開いている）通気配管６８へと流体に関して接続される。次に、パージ弁５０が開かれ、患者圧力配管３６のパージを可能にする。ひとたび患者圧力配管３６がパージされ、パージ弁５０が閉じられると、ゼロ調整電子弁６０が、通常の動作のように開かれる。
【００１６】
ゼロ調整電子弁６０を、例えばシステム２０の起動時に患者センサ６７を較正するために利用することもできる。患者圧力センサ６７を較正するために、圧力センサ６７が通気配管６８を介して環境へと流体に関して接続されることで環境の圧力を読み取るように、ゼロ調整電子弁６０が閉じられる。別の方法で、患者圧力センサ６７を既知の基準周囲圧力へと調節することができる。所望であれば、患者圧力配管３６を、この調節の際にパージすることができる。較正の後で、ゼロ調整電子弁６０が、通常の動作のように開かれる。
【００１７】
ドライバユニット２２のさらなる随意による特徴が、補助弁７０である。補助弁７０は、電子式（例えば、電磁弁）または空気式であってよい。補助弁７０は、入口側７２および出口側７４を定めており、電子的にコントローラ２８へと接続されてコントローラ２８によって制御される。入口側７２が、電子弁４０およびパージ電子弁５０と並列に、内部入口配管４６へと流体に関して接続されている。しかしながら、出口側７４は、内部出口配管４６へと接続されていない。代わりに、出口側７４は、補助配管３５へと選択的に接続されるようにハウジング３７内を延びている内部補助配管７８へと、流体に関して接続されている。したがって、この構成によれば、補助弁７０がネブライザ３４へのガスの流れを制御し、したがって補助弁７０を「ネブ流弁」と称することができる。ネブライザ３４は、さらに詳しく後述される。しかしながら、一般的に、ネブライザモードの動作において、コントローラ２８は、ネブ流弁７０を開状態へと動かし、ネブライザ３４へのガスの流れを可能にする。
【００１８】
図２に示されるとおり、電子弁４０、パージ電子弁５０、ゼロ調整電子弁６０、およびネブ流弁７０を、マニホールド８０の一部として設けることができ、あるいはマニホールド８０へと接続することができる。マニホールド８０は、内部入口配管４６から３つの並列なガス流路を効果的に確立し、すなわち上述のとおり（コントローラ２８の動作を介して）、電子弁４０が内部出口配管４８へのガスの流れを可能にし、パージ電子弁６０がフィードバック配管３６へのガスの流れを可能にし、ネブ流弁７０が補助配管３５へのガスの流れを可能にする。
【００１９】
随意による容積室８８を、内部入口配管４６に沿って弁４０の「上流」に設けることができる。容積室８８は、入口配管３０からの流体を貯蔵するためのアキュムレータまたはリザーバとしてとして機能する。したがって、容積室８８は、弁４０、５０、および７０のうちの１つ以上が開かれるときに圧力の低下を少なくすることができる。例えば、パージ電子弁５０が開かれるときに、容積室８８内の流体を、容積室８８からパージ電子弁５０の入口側５２までの圧力低下を少なくするために利用することができる。
【００２０】
生じうるガスの供給源２６からの圧力の変動を補償するために、さらにドライバユニット２２は、随意による圧力レギュレータ９０を内部入口配管４６に沿って弁４０の「上流」に備えることができる。圧力レギュレータ９０は、機械的または電子的に制御される装置であってよく、到来する加圧ガスの流れを所望の圧力へと調節するように構成され、供給源２６においてもたらされる圧力にかかわらずにシステム２０からの一貫した治療の出力を維持する。そのようにして、ドライバユニット２２は、供給源２６の実際の圧力が場所ごとにさまざまでありうる可能性に鑑みて、病院が異なっても一貫した治療の出力を生み出す。
【００２１】
図２のドライバユニット２２によって提供されるさらなる随意による特徴は、弁４０の「上流」において内部入口配管４６へと流体に関して接続されたフィルタ１００である。フィルタ１００は、さまざまな形態をとることができ、通常は、供給源２６からのガスの流れに含まれる破片または水分を取り除くように構成される。いくつかの実施形態においては、フィルタ１００が、水トラップ式であり、流体に関して圧力レギュレータ９０の上流に位置する。
【００２２】
所望であれば、さらにドライバユニット２２は、入口側１０４および出口側１０６を定める入力電子弁（例えば、電磁弁）１０２を備えることができる。入力電子弁１０２は、フィルタ１００の「上流」において内部入口配管４６へと流体に関して接続される。さらに、入力電子弁１０２は、電子的にコントローラ２８へと接続されてコントローラ２８によって制御される。入力電子弁１０２を、緊急「遮断」弁として動作させることができ、所定の限界を超える内部の圧力が存在する場合や患者の圧力が所定の値を超える場合に閉状態へと動かし、ドライバユニット２２への流れを閉じることができる。入力電子弁１０２は、「常時閉」の位置にあり、コントローラ２８からの指示にて入口側１０４から出口側１０６への流体の通過を許すように選択的に動作する。ドライバ２２が動作していないとき、入力電子弁１０２は閉じられる。結果として、生じうるマニホールド８０および／またはハウジング３７内の圧力の高まりの危険を減らすことができる。
【００２３】
さらなる実施形態においては、電子通気弁１０８および通気配管１０９を、内部入口配管４６と環境との間に流体に関して接続することができ、通気弁１０８を開くことによって内部入口配管４６の圧力の高まりを防止することができる。通気弁１０８は、電子的にコントローラ２８へと接続されてコントローラ２８によって制御される電子弁であってよい。通気弁１０８は、入口側１１２および出口側１１４を定めている。入口側１１２が、内部入口配管４６へと流体に関して接続され、出口側１１４が、通気弁１０９へと流体に関して接続される。通気弁１０８は「常時開」の位置にあり、入口側１１２から出口側１１４への流れを可能にしている。ドライバユニット２２の通常の動作において、通気弁１０８は、コントローラ２８によって閉鎖位置へと動かされる。さらに別の実施形態においては、電子弁４０、パージ電子弁５０、および／またはネブ流弁７０を、内部入口配管４６の圧力を下げるように動作させることができる。
【００２４】
いくつかの構成においては、ドライバユニット２２が、１つ以上の異なる供給源２６からのガスに対して働くように構成される。例えば、供給源は、酸素、圧縮機からの加圧空気、ブレンダからの分画酸素、などであってよい。さらには、これらの供給源は、供給源の種類、特定の国における規格、などにもとづいて、いくつかの異なる種類のコネクタを有することができる。これを念頭に、入口配管３０が、随意により１つ以上の入口コネクタ１１０へと流体に関して接続され、各々のコネクタ１１０が、別の供給源２６へと流体に関して接続されるように構成されている。例えば、コネクタのうちの１つが、加圧酸素の供給源への流体に関する接続を確立できる一方で、別のコネクタが、加圧空気の供給源との流体に関する接続を確立でき、ドライバユニット２２におけるガスの混合を可能にすることができる。さらに、コネクタを、分画吸入酸素を届けるブレンダへと接続されるように構成することができる。図示の実施形態においては、コネクタ１１０のうちのただ１つだけが設けられており、入口配管３０へと接続されている。次いで、コネクタ１１０が、内部入口配管４６へと流体に関して接続されている。
【００２５】
上述のように、コントローラ２８が、弁４０、５０、６０、７０、１０２、および１０８の動作を制御する。この点に関し、いくつかの実施形態においては、コントローラ２８が、制御の動作においてフィードバック情報を利用する。これを念頭に、ドライバユニット２２は、内部出口配管４８へと流体に関して接続された随意によるマニホールド圧力センサ１２０をさらに含んでいる。マニホールド圧力センサ１２０は、内部出口配管４８内のガスの圧力を検出することができる種々の形態をとることができる。いずれにせよ、マニホールド圧力センサ１２０は、コントローラ２８へと電子的に接続され、出口配管３２において検出された圧力を表す情報を知らせ、コントローラ２８への閉ループフィードバックを提供する。一例においては、マニホールド圧力センサ１２０が、所望のＰＡＰレベルが患者へともたらされているか否かを監視するために使用される。
【００２６】
上述のように、患者圧力センサ６７も、コントローラ２８への情報源を形成でき、コントローラ２８への情報源として機能することができる。患者圧力センサ６７は、さまざまな形態をとることができ、患者インターフェイス装置２４内の圧力を検出するために、患者圧力配管３６およびゼロ調整電子弁６０を介して患者インターフェイス装置２４へと流体に関して接続される。さらに詳しく後述されるとおり、患者インターフェイス装置２４を、（ハウジング３７によって保持されるような）患者圧力センサ６７へと流体に関して接続される患者圧力配管３６を受けるために便利なポートを提供するように構成することができる。いずれにせよ、患者圧力センサ６７は、コントローラ２８へと電子的に接続され、患者インターフェイス装置２４において検出された圧力を表す情報を知らせる。一例においては、患者圧力センサ６７が、所望のＣＰＡＰ設定が患者へともたらされているか否かを監視するために使用される。患者へと届けられる流れまたはパルスの体積など、他のパラメータも、流れの測定またはスパイロメトリの手段がドライバユニット２２へと一体化される場合には、コントローラ２８へとフィードバックをもたらすために使用することができる。
【００２７】
さらに、ドライバユニット２２は、情報を介護士へと表示するための１つ以上の表示システム１３０を随意により含んでいる。一例においては、表示システム１３０が、液晶表示装置であってよい。表示システムは、電子的にコントローラ２８へと接続されてコントローラ２８によって制御され、グラフィカル・ユーザ・インターフェイス（ＧＵＩ）１３２を含むことができる。後述のように、ＧＵＩ１３２を、種々の性能情報（例えば、現在のパルス形状、最小および最大圧力、などのグラフィック表示）を表示するように動作させることができる。
【００２８】
ドライバユニット２２は、コントローラ２８へと電子的に接続されたユーザ入力装置（または、インターフェイス）１４０を含んでいる。ユーザインターフェイス１４０は、介護士が後述のとおりに所望の動作モードを選択できるようにする選択表示装置として機能する。したがって、ユーザインターフェイス１４０は、機械的な装置（例えば、制御ノブ）および／または視覚的な装置（タッチパッド装置）など、幅広くさまざまな形態をとることができる。
【００２９】
システム２０の使用時に、入口配管３０が、適切なコネクタ１１０を介して供給源２６へと流体に関して接続される。患者インターフェイス装置２４が、ドライバユニット２２とは別に介護士へと供給される。患者インターフェイス装置２４について、考えられる種々の構成が後述される。しかしながら、一般に、患者インターフェイス装置２４は、出口配管３２へと流体に関して接続されるように構成され、あるいは他のやり方でハウジング３７から延びるように構成された入口端１５０と、（マウスピースまたはマスクなどの患者の呼吸用の構成要素へと接続することができ、あるいはそのような構成要素を形成できる）出口端１５２（この出口端１５２を通して患者が呼吸する）とを含んでいる使い捨ての手持ち式の製品であってよい。一実施形態においては、出口配管３２、補助配管３５、および患者圧力配管３６の各々を、患者インターフェイス装置２４を備えることができる管類で形成される。
【００３０】
配管３２、３５、および３６の各々は、ドライバユニット２２の該当のコネクタポート１５８に係合するように寸法付けられたコネクタ片（総称的に、コネクタ片１５６）を終端とすることができる。例えば、コネクタポート１５８を、ハウジング３７によって保持することができる。コネクタポート１５８は、作業者にとってただ１つの接続工程（すなわち、コネクタ片１５６のコネクタポート１５８への挿入）だけが要求されるように、出口配管３２、患者圧力配管３６、および／または補助配管３５への流体の接続を確立することができる。あるいは、コネクタポート１５８を、ハウジングおよび／またはマニホールドと一体に形成することができる。いずれにせよ、ドライバユニット２２への単純な流体の接続のために、コネクタ片１５６を、配管３２、２５、および３６のそれぞれに固定の関係で保持することができる。さらに、コネクタ片１５６は、コネクタ片１５６をコネクタポート１５８へと容易に固定し、コネクタポート１５８から容易に解放するために、クイックリリース機構を備えることができる。
【００３１】
さらに、コネクタ片１５６は、ドライバユニット２２との可能性を示す識別子を、任意の種類の記憶媒体１６０（ＲＦＩＤタグなど）に保存して含むことができる。この目的のために、ドライバユニット２２は、コントローラ２８へと電気的に接続された記憶媒体１６０から情報を受け取るための装置１６２（ＲＦＩＤタグ読み取り機など）をさらに含むことができる。記憶媒体１６０は、装置１６２を介してコントローラ２８へと伝えることができるさらなる情報を含むことができる。例えば、記憶媒体１６０を、特定の所定の治療プロトコルに組み合わせることができ、したがってコントローラ２８を、所望の治療プロトコルに関連して動作させることができる。さらに、患者情報、互換性情報、など、他の情報を記憶媒体１６０に保存することができる。あるいは、患者インターフェイス装置２４に関する情報をドライバユニット２２へと届けるために、任意の他の種類の通信手段を利用することができる。使用することができる通信手段の一例は、カリフォルニア州サニーベール（Ｓｕｎｎｙｖａｌｅ）のマキシム・インテグレイテッド・プロダクツ・インコーポレィテッド（Ｍａｘｉｍ  Ｉｎｔｅｇｒａｔｅｄ  Ｐｒｏｄｕｃｔｓ，  Ｉｎｃ．）が提供する１−ワイヤ（１−Ｗｉｒｅ：登録商標）  シリアル・メモリ・プロダクツ（Ｓｅｒｉａｌ  Ｍｅｍｏｒｙ  Ｐｒｏｄｕｃｔｓ）などのコンタクト・シリアル・インターフェイスである。この場合、インターフェイスを形成するホストおよびスレーブハードウェアの間の直接接触ゆえに、高周波信号の干渉の可能性をなくすことができる。
【００３２】
いずれにせよ、患者インターフェイス装置２４を出口配管３２へと流体に関して接続し、さらに設けられるのであれば患者圧力センサ６７へと（患者圧力配管３６を介して）流体に関して接続した状態で、介護士は、呼吸治療を患者へと届けるためにドライバユニット２２を動作させる。この点に関し、ドライバユニット２２は、ゼロ調整モード、パーカッションモード、ベースラインモード、気道陽圧（ＰＡＰ）モード、パージモード、およびネブライザモードを含む少なくとも６つの動作モードを随意により提供する。これらのモードの各々を、残りのモードとは別個独立に実行でき、あるいは２つ以上のモードを同時に実行することができる。各々の動作モードは、さらに詳しく後述される。１つ以上のモードを、介護士によって容易に実行することができる所定のプロトコルに定められるとおりにコントローラ２８によって実行することもできる。
【００３３】
出発点として、ドライバユニット２２は、随意により、電子弁４０、５０、７０、および１０２のデフォルト状態が、それぞれの弁４０、５０、７０、および１０２を通過するガスの流れが生じない常時「閉」状態であるように構成される。電子弁６０および１０８は、弁６０、１０８を通ってガスが流れる常時「開」状態がデフォルト状態である。とくには、弁６０の出口側６４が、入口側６２へと流体に関して接続され、弁１０８の出口側１１４が、入口側１１２へと流体に関して接続される。システム２０が「オン」にされるとき、患者圧力センサ６７を較正するためにゼロ調整モードが始まることができる。ゼロ調整モードにおいては、ゼロ調整電子弁６０が閉じられ、患者圧力センサ６７が通気配管６８を介して環境へと接続されるため、患者センサ６７が環境の圧力を読み取ることができる。患者圧力センサ６７の読み取りにもとづいて、患者圧力センサ６７が既知の周囲の圧力を記録するように、調節を行うことができる。ひとたび患者圧力センサ６７が所望のとおりに調節されると、ゼロ調整電子弁６０が開かれる。
【００３４】
パーカッションモードが所望される旨の知らせを介護士から（ユーザ入力１４０を介して）受け取ると、コントローラ２８は、電子弁４０を素早く開閉するように動作させ、入口配管３０から出口配管３２へのガスの流れに圧力パルスを付与する。この点に関し、電子弁４０の電気機械的な構成が、コントローラ２８が届けられる圧力パルスの形状について精密な制御を達成することを可能にし、これは、マニホールド圧力センサ１２０からの読み取りにもとづくことができる。このようにして、出口配管３２を介して患者インターフェイス装置２４へと届けられるパルス状のガスの流れが、電子弁４０の動作能力に相応の多数のさまざまな周波数および／または圧力のうちの１つを有することができる。所望であれば、ベースラインモードが、肺の膨張を維持するためにパルス状のガスの流れを補うことができる。基準点として、異なる周波数および圧力が、患者に対して異なる効果を有する。例えば、約２０Ｈｚの周波数が、粘液の粘度を下げることが明らかにされている一方で、８〜１５Ｈｚの範囲の周波数は、通常の繊毛のビートの周波数範囲に相応し、分泌物を可動化するように機能する。２〜５Ｈｚの範囲の周波数は、肺を膨張させて、肺胞へと酸素を届けるとともに、「ミニ咳」を刺激して、粘液をせん断することが明らかになっている。したがって、所望の治療結果に応じて、介護士は、（ユーザインターフェイス１４０を介して）所望のプロトコル／周波数を達成することができる。
【００３５】
いくつかの場合には、介護士が、（例えば、圧力および／または周波数に関して）所望のプロトコルを承知しており、後のコントローラ２８による実行のためにユーザインターフェイス１４０において所望の値を入力することができる。他の実施形態においては、コントローラ２８が、適用される可能性がある１つ以上のプロトコル設定であらかじめプログラムされる。例えば、コントローラ２８が、プロトコル設定のライブラリを維持するメモリを備えることができる。プロトコルの選択は、いくつかの因子にもとづくことができる。一実施形態においては、流れの検出および／またはスパイロメトリの手段が使用される場合に、プロトコルの選択が、これらの手段によって得られる測定にもとづくことができる。ユーザインターフェイス１４０において所望のプロトコルが選択されると、コントローラ２８は、従来からのドライバユニットに比べてシステム２０の動作があまり訓練を必要とせず、介護士によってより容易に設定されるよう、所定の設定を自動的に「ロード」する。例えば、１つのあらかじめ定められる所望のプロトコルは、２分間のＰＡＰモード、その後の２分間の２０Ｈｚのパーカッション治療、その後の２分間の２Ｈｚのパーカッション治療、などを含むことができる。
【００３６】
上記に代え、あるいは上記に加えて、記憶媒体１６０（例えば、ＲＦＩＤタグ）は、装置１６２（例えば、ＲＦＩＤ読み取り機）によって読み取って、コントローラ２８へと通信することができる特定の所望の設定を保存することができる。さらに、あらかじめプログラムされた特徴が、治療についての介護士の知識にかかわらずに、一貫した一様な治療が患者へと提供されることを保証する。一貫した一様な治療がもたらされるがゆえに、介護士は、患者圧力センサ６７における変化（例えば、肺の膨張の増加）に鑑みて、患者の気道に変化が生じたか否かを特定することができる。これは、設定または使用が直感的でない市場の現行の装置／ドライバとまったく対照的である。いくつかは、パルスの形状を制御するために介護士によって操作されるニードル弁を必要とする。空気式のシステムにおいて強度を変化させようとすると、周波数も変化してしまい、強度および周波数を独立に変更することが困難である。ニードル弁の位置をわずかに調節しただけで、得られるパルスの形状に予期せぬ大きな変化が生じうる。このことが、既存の装置において一貫した予想どおりの治療をもたらすことを困難にしている。
【００３７】
あらかじめプログラムされる設定に加え、あるいはあらかじめプログラムされる設定に代えて、コントローラ２８を、１つ以上の所望の治療プロトコルを保存するように介護士によってプログラムすることができる。それらのプログラムを、病院の全体においてドライバユニット２２を使用するすべての呼吸治療士が正確に同じ治療の手順に従うことを保証するため、介護士または介護士の同僚が（病院において）入力することができる。所望であれば、この情報を、記憶媒体に直接保存し、ドライバユニット２２の製造および／または組み立ての際に要求のとおりにあつらえることができる。例えば、成人とは対照的に小児科のためのシステムを用意する場合に、異なるパラメータを利用して、異なる治療および／またはアラームの設定を可能にすることができる。
【００３８】
ユーザの入力による設定および／またはあらかじめ設定される設定にもとづく電子弁４０の動作に加えて、いくつかの実施形態においては、コントローラ２８が、患者の肺の共振周波数（最も効果的な治療が生じると考えられる）を「突き止め」る典型的なルーチンを実行するようにさらにプログラムされる。より詳しくは、典型的なルーチンが、最初により高い周波数のパルスの速度（例えば、２０Ｈｚ）を生成し、より低い速度（例えば、２Ｈｚ）へと次第に低下させるように、コントローラ２８が電子弁４０を動作させることを含んでいる。次いで、このプロセスが、段階的により高い圧力で繰り返される。所望であれば、高い周波数のパルス速度から出発して、より低い速度へと低下させることによって、速度を下げることもできる。
【００３９】
典型的なルーチンの全体において、患者が胸部振動および圧力センサ６７、１２０から知らされる情報について監視され、特定の患者について共振周波数または「スイートスポット」に最もよく一致するパルス速度の周波数が割り出される。一実施形態においては、加速度計を患者の胸部へと接続し、胸部の運動を表す信号をもたらすことができる。この胸部の運動の信号を、最適な周波数を特定するために、届けられる周波数パルスの速度にもとづいて監視することができる。
【００４０】
パーカッションモードの動作を、ベースラインモードの動作によって補うことができる。ベースラインモードは、電子弁４０が内部入口配管４６から内部出口配管４８への流れを部分的に妨げて、所望の圧力をもたらす。圧力が、パーカッション治療の送達の際（例えば、空気流のバーストの間）に患者の気道を開いた状態に保つために供給される。
【００４１】
上述の手順と同様に、コントローラ２８を、ＰＡＰ圧力を患者へと届ける電子弁４０の動作を含む１つ以上の治療プロトコルであらかじめプログラムまたは設定することができる。一例のプロトコルプログラム（これに限られるわけではない）は、１）ＰＡＰモードの低圧で５分間にわたって動作し（すなわち、電子弁４０は開いている）、２）低圧で３分間にわたって電子弁４０を２０Ｈｚで動作させ、３）低圧で３分間にわたって２Ｈｚの周波数のパーカッションパルスを生成するように電子弁４０を動作させ、４）高圧で５分間にわたって５Ｈｚの周波数で電子弁４０を動作させることを含むことができる。幅広くさまざまな他のプロトコルも、同様に利用可能である。
【００４２】
ＰＡＰ療法が所望される場合、コントローラ２８は、ユーザインターフェイス１４０における該当の介護士のＰＡＰモードの選択を受信して、電子弁４０を所望の量だけ「開く」ように動作させる。この点に関し、ＰＡＰ療法に所望される圧力を、ユーザによって選択（あるいは、あらかじめプログラム）することができ、コントローラ２８がマニホールド圧力センサ１２０からの情報を監視し、達成された電子弁４０の設定が所望の圧力を実現しているか否かを判断する。これに代え、あるいはこれに加えて、ＣＡＰＡ、Ｂｉ−ＰＡＰ、などの治療を、患者圧力センサ６７から受信される情報にもとづいて届けることができる。
【００４３】
パージモードを、上述のゼロ調整モードに関連して実行することができる。さらには、パージモードを、ゼロ調整モードとは独立に実行することができる。患者圧力配管３６をパージするために、ゼロ調整電子弁６０が、入口側６２から出口側６４への流れを遮断するように、閉鎖位置へと動かされる。この時点で、患者圧力センサ６７が、可搬のハウジング３７を出る通気配管６８へと流体に関して接続される。その結果、患者圧力センサ６７が、大気圧を読み取り、そのコントローラ２８へのフィードバックを遅延させることができ、さらには／あるいは患者圧力センサ６７を、ゼロ調整モードに関して述べたとおりに調整することができる。次いで、パージ電子弁５０が開かれ、入口配管３０からの流れが、患者圧力配管３６の液体および／または他の蓄積物をパージするために使用される。患者圧力配管３６がパージされた後で、パージ電子弁５０が閉じられ、次いでゼロ調整電子弁６０が開位置へと動かされ、患者圧力センサ６７への流れが可能にされる。
【００４４】
ネブライザモードにおいては、ネブライザ３４が、ネブ流弁７０（補助配管３５を経由する）および患者インターフェイス装置２４へと流体に関して接続される。例えば、上述のただ１つのコネクタ１５６が、コネクタポート１５８を介してドライバユニット２２へと必要な流体の接続を確立することができる。いくつかの実施形態においては、患者インターフェイス装置２４およびネブライザ３４が、ネブライザ３４が患者インターフェイス装置２４の出口ポート１５２へと流体に関してつながるように構成され、ネブライザ３４が、ドライバユニット２２とは別に設けられる。いずれにせよ、ネブライザ３４を患者インターフェイス装置２４の「下流」に位置させることによって、ネブライザ３４によって生成されたエアロゾル化した薬剤が、患者インターフェイス装置２４を通過しないため、患者インターフェイス装置２４の形状におけるエアロゾルのノックダウンの可能性が大幅に減らされる。例えば、ネブライザ３４を患者インターフェイス装置２４の「下流」に位置させた構成は、従来からの患者インターフェイスの設計に比べて、５倍を超える吸入される呼吸可能マス（例えば、エアロゾル化した薬剤）を患者へと届けることができる。
【００４５】
ネブライザ３４が上述のように流体に関して接続された状態で、コントローラ２８は、ユーザインターフェイス１４０において介護士による該当の選択を受信すると、補助配管３５（したがって、ネブライザ３４）へのガスの流れを可能にするようにネブ流弁７０を動作させる。この点に関し、コントローラ２８は、ネブライザ治療のみが患者へと届けられるように、電子弁４０を閉状態に保つことができる。あるいは、介護士による所望のとおりに、エアロゾル化した薬剤を患者へとパーカッション治療、ベースライン付きのパーカッション治療、および／またはＰＡＰ治療に関連して届け、さらには／あるいは所定のプロトコルにおいて届けるために、（ネブ流弁７０を少なくとも或る程度開いた状態で）電子弁４０を同時に動作させることができる。
【００４６】
パーカッション、ＰＡＰ、またはネブライザ治療を届けるシステム２０の動作において、コントローラ２８は、患者圧力センサ６７および／またはマニホールド圧力センサ１２０から受信される情報によって電子弁４０からの所望の出力を維持するようにプログラムされる。マニホールド圧力センサ１２０が、コントローラ２８による電子弁４０の出力の監視を可能にし、コントローラ２８が必要に応じて弁４０の動作を付加的に調節することを可能にする閉ループシステムを生み出すフィードバックをもたらす。次いで、この特徴が、所望または正しいパルス圧力（あるいは、ベースラインモードの場合にはベースライン圧力）が一貫して常に患者へと届けられることを保証する。
【００４７】
患者圧力センサ６７が、患者へと届けられている圧力を監視する。コントローラ２８が、検出された患者圧力および／またはマニホールド圧力が所定の値を超えると「判断」する場合には、電子弁４０、７０、および／または１０２の閉状態への動作を自動的に開始させることができる。さらに、患者へと届けられる圧力を、患者圧力センサ６７によって検出される圧力にもとづいて調節することができる。一例においては、患者の呼吸の吸気および呼気段階を、コントローラ２８へと情報を送信する患者圧力センサ６７および／またはスパイロメトリ手段を使用して検出することができる。パーカッションモードの動作において、パーカッション治療を、パーカッションパルスを吸気段階の際に届けるように電子弁４０を動作させることによって、患者の吸気段階において届けることができる。最大の患者圧力が既知（例えば、医師によって指示される）である場合には、さらに電子弁４０を、最大の患者圧力および吸気／呼気段階にもとづいて動作させることができる。あるいは、所望の効果を最大にするため、患者の呼吸を検出し、吸気または呼気のいずれかの段階における治療の送達を変更するために、スパイロメトリ手段を使用することができる。
【００４８】
さらに、他の測定装置も、表示および／またはドライバユニット２２の動作の制御のために、コントローラ２８へと情報をもたらすために使用することができる。例えば、スパイロメータを、患者の吸気および／または呼気の体積を測定するために使用することができる。スパイロメータを、患者インターフェイス装置２４へと一体化し、肺のセクションがきれいにされ、さらには／あるいは回復したことによる患者の進展を割り出すために使用することができる（例えば、患者による呼気の量が多いほど、患者の改善を示していると考えられる）。
【００４９】
上述のように、表示システム１３０を、所望に応じて介護士へと種々の情報を表示するようにコントローラ２８によって動作させることができる。種々の動作の制御の設定（例えば、動作モード、選択された圧力および／または周波数）の表示に加えて、コントローラ２８は、患者へと届けられる実際の圧力またはガスの流れを表す情報、あるいはそれらに関係する情報を割り出し、表示することができる。例えば、コントローラ２８を、患者圧力センサ６７によって検出された圧力を記録し、最小、平均、最大、および／または傾向の圧力などの情報を計算するようにプログラムすることができ、この情報が表示システム１３０に表示される。表示プロトコルはさまざまであってよく、いくつかの実施形態においては、コントローラ２８が、表示された情報を定期的に（例えば、１秒に１回）更新するようにプログラムされ、最大圧力がデータ取得の先の時間期間（例えば、秒）について記録される。
【００５０】
さらにドライバユニット２２は、コントローラ２８によって動作させられる種々の随意によるアラームの特徴を含むことができる。例えば、マニホールド圧力センサ１２０および／または患者圧力センサ６７において所定の圧力限界を超える圧力が検出される場合に、コントローラ２２は、介護士へと知らせるために警報（例えば、聴覚による警報、視覚による警報）を動作させ、ステップダウンの治療プロトコルを実行するようにプログラムされ、随意により電子弁４０、７０、および１０２を閉じる。これらの警報が、種々の状況にもとづく事象の通知のための任意の種類の設定（例えば、調節可能なしきい値の交差）へと、ユーザによって調節可能であってよい。
【００５１】
システム２０は、患者への呼吸治療の提供において有用な多量の特徴を独自に提供する。他の実施形態においては、特徴を所望に応じて追加、変更、または削除することができる。例えば、図３が、パージ電子弁５０、ゼロ調整電子弁６０、入力電子弁１０２、および通気電子弁１０８が、容積室８８とともに削除されている治療システム１７０の図を示している。さらに、治療システム１７０は、別々の供給源へと接続された複数のコネクタ１１０を含んでいる。コネクタのうちの１つが、加圧酸素の供給源との流体の接続を確立できる一方で、別のコネクタは、加圧空気の供給源との流体の接続を確立することができる。またさらに、１つのコネクタを、ガスブレンダによって生成される分画吸気酸素の供給源へと接続することができる。またさらなる実施形態においては、ガスブレンダを、ハウジング３７へと一体化させることができる。加えて、治療システム１７０は、二次電子弁１７２および通気弁１７４を含んでいる。
【００５２】
二次電子弁１７２を、電子弁４０と同様に構成することができる。二次電子弁１７２は、電子的にコントローラ２８へと接続されてコントローラ２８によって制御される。電子弁４０および二次電子弁１７２は、一方の弁が主としてパーカッション治療をもたらすために使用され、他方の弁が主としてベースラインおよび／またはＰＡＰ治療をもたらすために使用されるように、パーカッション治療およびＰＡＰ治療を別々にもたらすべく動作するように機能することができる。また、二次電子弁１７２を、一次弁との関連において動作させ、パーカッション治療の際の強度設定の範囲を広げるために使用することもできる。二次電子弁１７２を、パーカッション治療の提供においてより高い周波数の設定を可能にするために、電子弁４０に対してずらして動作させることも可能である。
【００５３】
図示の実施形態において、二次電子弁１７２は、電子弁４０およびネブ流弁７０に並列に配置される。二次電子弁は、内部入口配管４６へと流体に関して接続された入口側１７６と、内部出口配管４８へと流体に関して接続された出口側１７８とを含んでいる。図３においては、電子弁４０が、パーカッション治療をもたらすように構成される一方で、二次電子弁１７２が、ＰＡＰ治療をもたらすように構成される。したがって、コントローラ２８が、パーカッション治療が所望されるときに電子弁４０を駆動するように動作し、ＰＡＰ治療が所望されるときに二次電子弁１７２を駆動するように動作する。さらに、コントローラ２８は、パーカッション治療を大気圧を超えるベースライン圧力と組み合わせて提供するために、電子弁４０のパーカッション動作の際に、二次電子弁１７２を開状態（あるいは、途中まで開いた状態）で動作させることができる（例えば、ベースラインモード）。
【００５４】
通気電子弁１７４が、電子的にコントローラ２８へと接続されてコントローラ２８によって制御され、入口側１８０および出口側１８２を含んでいる。通気電子弁１７４は、入口側１８０を内部出口配管４８へと流体に関して接続し、出口側１８２を通気配管１８４へと流体に関して接続して、緊急「ダンプ」弁として機能する。通気配管１８４は、環境へと開いている。コントローラ２８が、所定の限界を上回る内部の圧力が存在すると判断する場合に、通気電子弁１７４が開状態へと動かされ、内部出口配管４８のガスの流れをシステム１７０から排出することができる（したがって、患者インターフェイス装置２４または患者には届けられない）。あるいは、通気電子弁１７４を、内部入口配管４６または内部出口配管４８のいずれかに沿った任意の位置に配置することができ、「常時開」または「常時閉」のいずれかの状態で動作させることができる。例えば、通気電子弁１７４を、比例電磁弁４０、１７２の「上流」に（例えば、内部入口配管４６に沿って図２の通気弁１０８と同様の位置に）配置することができる。またさらには、通気電子弁１７４が、内部入口配管４６または内部出口配管４８のいずれかと直列（すなわち、入口側１８０および出口側１８２が、対応する内部入口配管４６または内部出口配管４８へと流体に関して接続される）であって、常時「開」状態で動作することができる。この構成によれば、超過圧力状態が存在すると判断されると、コントローラ２８が、電子弁１７４を閉状態へと動作させて、ガスの流れ／圧力が患者へと届けられることを阻止する。
【００５５】
図４は、上述のシステム２０（図２）の構成要素のうちのいくつかを含んでいる本発明による基本的な呼吸治療システム１９０の図を示している。とくには、システム１９０は、ドライバユニット２２および患者インターフェイス２４を含んでいる。次に、ドライバユニット２２は、コントローラ２８および電子弁４０を含んでいる。電子弁４０が、入口配管３０および出口配管３２の間でガスの流れ／圧力を調節する。コントローラ２８が、上述のようにパーカッション治療をもたらすべく電子弁４０を動作させる。さらに、コントローラ２８を、随意により、所望であればベースライン圧力および／または気道陽圧（ＰＡＰ）をもたらすべく電子弁４０を動作させるようにプログラムすることができる。
【００５６】
図５は、本発明による別の呼吸治療システム２００を概略的に示している。このシステム２００は、ドライバユニット２２が空気の供給源２０２にのみ接続されるように構成されている点を除き、上述したシステム１７０（図３）に類似している。したがって、（図３の２つ以上のコネクタ１１０と比べ）コネクタ１１０が１つだけ設けられている。
【００５７】
図６が、システム２００と同様の別の呼吸治療システム２１０を示しており、ドライバユニット２２が、酸素源２１２にのみ流体に関して接続されるように構成されている。
【００５８】
図７の別の構成においては、フィルタ１００（図３）が省略されている点を除き、すでに述べたシステム１７０（図３）に類似する呼吸治療システム２２０が設けられている。
【００５９】
図８は、マニホールド８０（図３）が省略されている点を除き、図３のシステム１７０に類似した別の呼吸治療システム２３０を示している。したがって、電子弁４０、二次電子弁１７２、およびネブ流弁７０を、入口配管３０に流体に関して接続するために、個別の配管が使用されている。あるいは、弁のうちの一部に対してのみ流体に関する接続を確立する部分的なマニホールド（例えば、電子弁４０、１７２、およびネブ流電子弁７０に対してのみ流体の接続を確立するマニホールド）を設けてもよい。
【００６０】
図９の別の呼吸治療システム２４０においては、随意による圧力レギュレータ９０（図３）が省略されている。この構成においては、流入する圧力の制御を、随意により、コントローラ２８が患者圧力センサ６７および／またはマニホールド圧力センサ１２０において生成される情報にもとづいて電子弁４０および／または１７２を動作させることによって達成することができる。
【００６１】
さらに別の呼吸治療システム２５０が、図１０に概略的に示されており、やはり多くの点で図３のシステム１７０に類似している。しかしながら、システム１７０と異なり、ドライバユニット２２が、二次電子弁１７２（図３）を欠いている。この構成において、電子弁４０を、所望の場合に気道陽圧（ＰＡＰ）をもたらすようにコントローラ２８によって動作させることができる。
【００６２】
図１１の別の呼吸治療システム２６０においては、エアロゾル関連の構成要素が取り除かれている。すなわち、ネブ流弁７０（図３）および対応する補助配管３５（図１および３）が取り除かれている。図１１は、ネブライザ３４（図３）も取り除かれることを反映しているが、（ドライバユニット２２によって制御されるわけではないが）別途のネブライザユニット（図示されていない）を別途設けることができ、患者インターフェイスへと流体に関して接続できることを、理解できるであろう。
【００６３】
さらに別の代案の呼吸治療システム２７０が、図１２に概略的に示されており、やはり図３のシステム１７０に類似している。しかしながら、呼吸治療システム２７０においては、通気電子弁１７４（図３）および関連の通気配管１８４（図３）が省略されている。（過大な圧力の状況における）緊急遮断を、コントローラ２８が電子弁４０、１７２を閉状態へと動作させることによって達成することができる。
【００６４】
図１３の別の呼吸治療システム２８０においては、随意によるマニホールド圧力センサ１２０（図３）が取り除かれている。遮断電子弁１７４の動作を、患者圧力センサ６７からの情報にもとづき、さらには／あるいはユーザによって入力される指令に応答して、コントローラ２８によって制御することができる。
【００６５】
またさらに別の実施形態の呼吸治療システム２９０が、図１４に概略的に示されている。システム２９０は、表示システム１３０（図３）が省略されている点を除き、すでに述べたシステム１７０（図３）に類似している。
【００６６】
上述のように、患者インターフェイス装置２４は、ドライバユニット２２において有用な幅広くさまざまな形態をとることができる。最も一般的には、患者へとガスの流れ／圧力を届けることができる任意の構成が容認される。患者インターフェイス装置２４は、使い捨てであってよく、呼吸治療を提供するための種々の設計の特徴を含むことができる。一般に、患者インターフェイス装置２４は、ハンドピースへと接続される少なくとも１つの管腔（例えば、二連管腔の配管、２つ以上の単一管腔の管、など）を定める。ドライバユニット２２からの流れ（出口配管３２を介する）が、二連管腔の配管の片側（例えば、入口端１５０）を通ってハンドピースへと移動し、ハンドピースにおいて取り込まれた外気と混合され、出口端１５２へと接続されたマウスピースまたはマスクなどの他の構成要素を介して患者へと届けられる。二連管腔の配管の他方の側は、ハンドピースの患者端の付近の圧力ポートにつながっている。次いで、圧力ポートが、患者圧力配管３６へと流体に関して接続されるように構成されている。一実施形態においては、患者圧力センサを、患者インターフェイス装置２４へと直接一体化でき、患者インターフェイス装置２４が、ただ１つの管腔しか必要としないと考えられる。この場合には、患者センサを動作させる手段およびドライバユニット２２へとデータを送信する手段を、患者インターフェイス装置２４に設けることができる。エアロゾル治療が望まれる場合には、ネブライザ３４を、患者ハンドピース２４の出口端１６２へと流体に関して接続することができ、マウスピースが、Ｔコネクタを介してネブライザの反対側へと接続され、ドライバユニット２２からの流体の流れを、補助配管３５を介して別途のポートを通ってネブライザ３４へと届けることができる。
【００６７】
随意により患者インターフェイス装置２４に取り入れられるさらなる内部の特徴として、ベンチュリまたはベンチュリ状のアセンブリ（例えば、可動ベンチュリ管または固定ベンチュリ管）が挙げられる。あるいは、患者インターフェイス装置２４が、固定のオリフィスを備えるノズルや、混合スロートを有し、ディフューザを有さないノズルなど、非ベンチュリの設計を取り入れることができる。患者インターフェイス装置２４は、取り込み弁または呼気弁を含んでも、含まなくてもよい。またさらに、患者インターフェイス装置２４の他の有用な構成要素として、ベイシックダイバータを備える二連ジェット構成、コアンダ効果を実現するように構成された構成、および外気の取り込みをもたらさない他の設計を挙げることができる。繰り返すが、これらの患者インターフェイス装置の特徴のすべては、いずれも随意であり、本発明によるシステム２０の動作に必須ではない。
【００６８】
図１５および１６が、患者インターフェイス装置の第１の典型的な実施形態を示している。とくには、図１５が、患者インターフェイス装置３００の分解図であり、図１６が、断面図である。患者インターフェイス装置３００は、ハウジング３０２およびハウジング３０２内に配置されたいくつかの構成要素を含んでいる。患者インターフェイス装置３００は、例えばパルス状空気入口ポート３０４、取り込みポート３０６、出口コネクタポート３０８、排気ポート３１０、および圧力ポート３１２など、いくつかのポートを定めている。パルス状の空気が、ドライバ２２（図１）から入口ポート３０４に進入し、外気が、取り込みポート３０６を通ってハウジング３０２へと引き込まれる。次いで、空気の流れが、患者マウスピースまたはネブライザへと接続されるように構成できる出口コネクタポート３０８へと届けられる。患者が吐き出した空気は、出口コネクタポート３０８を通って戻り、排気ポート３１０を通って排気される。圧力ポート３１２を、患者インターフェイス装置３００内の圧力をドライバユニット２２（図１）によって測定できるよう、患者圧力配管３６（図１）へと接続することができる。
【００６９】
とくには、パルス状の空気が、コネクタ片３２２と中央管３２４とを備えている端部キャップ３２０を通って、入口ポート３０４に進入する。端部キャップ３２０は、ハウジング３０２に設けられた内腔３２５に配置される。コネクタ片３２２を、出口配管３２（図１）へと接続することができる。入口ポート３０４は、中央管３２４へと流体に関して接続され、中央管３２４へと空気を届ける。可撓ダイアフラム３２６が、管３２４からジェットノズル３２９を終端とするリテーナ３２８の対応する管３２７への密封された流路を確立する。次いで、空気は、ノズル３２９からベンチュリアセンブリ３３０に進入する。リテーナ３２８およびベンチュリアセンブリ３３０が協働して、ジェットポンプを形成している。ジェットポンプは、ハウジング３０２の内部にスライド可能に配置され、入口ポート３０４および出口コネクタポート３０８に対して往復運動の様相で可動である。ばね３３２が、ジェットポンプを入口ポート３０４に向かって、出口コネクタポート３０８から離れるように付勢している。さらに、Ｏリング３３４が、ベンチュリアセンブリ３３０とハウジング３０２の内側シール面３３８との間にシールを形成するために設けられている。外気が、取り込みポート３０６に配置されたワンウェイ逆止弁３４０を通ってハウジング３０２に進入できる。ワンウェイ逆止弁３４０は、取り込みポート３０６への外気の流入を許すが、取り込みポート３０６からのガスの流出は防止する。
【００７０】
とくに図１６を参照すると、ベンチュリアセンブリ３３０が、入口ポート３０４および取り込みポート３０６からの空気を組み合わせ、組み合わせた空気を出口コネクタポート３０８へと流体に関して接続された管腔３５０へと届けるために、取り込み領域３４２、スロート領域３４４、および膨張領域３４６を形成している。図示の実施形態においては、取り込み領域３４２が、入口ポート３０４および取り込みポート３０６への入口開口３５２を定めている。スロート領域３４４は、ベンチュリアセンブリ３３０において流れを案内する先細りの収束部を定めている。膨張領域３４６は、スロート領域３４４から管腔３５０に向かって直径を増加させ、出口開口３５６を終端としている先細りの発散部を定めている。ベンチュリアセンブリ３３０について、他の構成も使用可能であるが、図１５および図１６に示したベンチュリアセンブリ３３０においては、空気の流れが、収束部を通って管腔３５０への発散部へと案内される。
【００７１】
動作時には、ドライバ２２（図１）によって生成されたパルス状のガスの流れが、入口ポート３０４を通って進入する。パルス状の空気が、ダイアフラム３２６に力を加え、ダイアフラム３２６がたわんで、ジェットポンプ（すなわち、リテーナ３２８およびベンチュリアセンブリ３３０）に力（すなわち、スロート領域への図１６の右方への力の方向）を加える。パルス状の空気が、ジェットノズル３２９においてスライドするベンチュリアセンブリ３３０に進入する。より詳しくは、ジェットノズルからの気流が、取り込み領域３４２に進入し、スロート領域３４４によって真空が生み出され、真空によって外気が取り込みポート３０６を介して引き込まれる。組み合わせられたパルス状の空気および外気が、スロート領域３４４へと案内される。可撓ダイアフラム３２６の力がばね３３２を圧縮するため、スライドするジェットポンプは、出口コネクタポート３０８に向かってスライドまたは移動する。スライド移動は、ベンチュリアセンブリ３３０の先端（すなわち、ベンチュリアセンブリ３３０によって保持されたＯリング３３４）がハウジング３０２の内側シール面３３８に接触してシールを形成するまで続く。その結果、このシール位置において、気流／圧力パルスが、出口コネクタポート３０８へと（したがって、患者へと）効果的に届けられる。さらに、ベンチュリアセンブリ３３０が、このシール位置において呼気ポート３１０を効果的に閉鎖する。ダイアフラム３２６への力が減少すると（すなわち、圧力パルスの終わりにおいて）、ダイアフラム３２６およびばね３３２が、ベンチュリアセンブリ３３０を強制的に内側シール面３３８から離し、出口コネクタポート３０８と呼気ポート３１０との間の経路を開く。このようにして、患者は、出口コネクタポート３０８および呼気ポート３１０を通って容易に呼気することができる（すなわち、スライドするジェットポンプは、シール位置から移動したときに患者から吐き出される空気の流れに直接抵抗しない）。
【００７２】
さらなる実施形態においては、ハウジング３０２が、ハウジング３０２の切り抜き部で形成された漸進式シール３５８（図１５）を備えている。漸進式シール３５８は、出口コネクタポート３０８と外気（すなわち、呼気ポート３１０を介する）との間の即座のシールを防止するために、先細りにされている。すなわち、シール３５８の開口のサイズが、ベンチュリアセンブリ３３０が内側シール面３３８に近付くにつれて減少する。このようにして、出口コネクタポート３０８と外気との間のシールが、緩やかに生じる。
【００７３】
別の実施形態においては、呼気弁を、ベンチュリアセンブリから分離させることができる。この場合、呼気弁の制御の改善をもたらすことができるほか、ベンチュリアセンブリを固定することができる。またさらなる実施形態においては、呼気弁を省略することができる。
【００７４】
出口コネクタポート３０８を、患者マウスピースまたはネブライザを受け付けるように構成することができる（そのように接続されたネブライザが、患者マウスピースを保持することができることを、理解できるであろう）。ネブライザ（例えば、図１のネブライザ３４）の接続は、ベンチュリアセンブリ３３０および取り込みポート３０６の下流である。すなわち、出口コネクタポート３０８経由のネブライザからの流れが、パルス状の空気の流れへと外気と同時に取り入れられることがない。代わりに、ネブライズされた薬剤が、あらかじめ組み合わせられたパルス状のガス流および取り込まれた外気によって運ばれて、患者へと直接届けられる。ネブライザを出口コネクタポート３０８の下流に配置することによって、患者インターフェイス装置３００におけるエアロゾル化した薬剤の粒子のノックダウンが軽減される。とくには、患者インターフェイス３００における薬剤のノックダウンが防止され、より呼吸に適するマスを患者へと到達させることができる。例えば、患者へと届けられるマス中の呼吸可能な薬剤（例えば、アルブテロール）の割合は、薬剤をハウジング３０２において直接取り入れるのと対照的に、ネブライザをコネクタポートの下流に配置した場合に、数倍（例えば、５倍以上）大きくなりうる。
【００７５】
呼気ポート３１０は、図示のとおり、呼気ポート３１０が例えば誰かの手または指によって容易に意図せずに封じられてしまうことがないようにするための開口３５９を含んでいる。さらに、望ましくない汚染物質を介護士に達することがないようにろ過するために、適切なフィルタ（図示されていない）を呼気ポート３１０に配置することができる。フィルタは、細菌、ＨＥＰＡ、ウイルス、など、さまざまな形態をとることができる。
【００７６】
圧力ポート３１２に、患者圧力配管３６（図１）へとつながる適切な接続手段３６０を設けることができる。上述のように、ドライバ２２が、圧力センサ６７を使用することによって患者圧力配管３６の圧力を測定することができる。測定された圧力を、ドライバ２２に組み合わせられた１つ以上の弁を制御するために使用することができる。患者圧力配管３６がパージされるとき、流体は管腔３５０へと出る。ネブライザ３４を、患者インターフェイス装置３００の下流に配置できるため、患者圧力配管３６への薬剤の付着が増える可能性がある。したがって、患者圧力配管３６のパージが、好都合になりうる。
【００７７】
図１７が、患者インターフェイス装置４００の第２の典型的な実施形態を示している。患者インターフェイス装置４００は、図１５および図１６に示した患者インターフェイス装置３００と同様の構成要素を含んでいる。さらに、患者インターフェイス装置４００は、出口コネクタポート３０８に直接一体化されたネブライザポート４０２を含んでいる。このやり方で、ネブライザを、ネブライザポート４０２を介して患者インターフェイス装置４００へと直接、ベンチュリアセンブリ３３０の下流に流体に関して接続することができる。一体化されたネブライザポート４０２は、ベンチュリアセンブリ３３０への固定の関係を提供し、互換のネブライザを挿入するための迅速な設定を介護士に提供し、死空間を少なくし、したがってシステムの効率を向上させる。
【００７８】
図１８〜図２０が、患者インターフェイス装置５００の第３の実施形態を示している。患者インターフェイス装置５００が、患者インターフェイス装置３００（図１５および図１６）と同じ構成要素のうちのいくつかを含んでおり、類似の構成要素には類似の番号が付されている。患者インターフェイス装置３００と同様に、患者インターフェイス装置５００は、入口ポート５０４および出口コネクタポート５０８を定めるハウジング５０２を含んでいる、しかしながら、取り込みおよび排気のために別々のポートを有する代わりに、ハウジング５０２は、ハウジング５０２の長さに沿って配置された単一の排気／取り込みポート５１０を備えている。動作の際に、空気を、単一のポート５１０の取り込み部５１０ａ（すなわち、ベンチュリアセンブリ３３０の上流）を通って単一のポート５１０へと取り込むことができ、呼気部５１０ｂ（すなわち、ベンチュリアセンブリ３３０の下流）を通って排気することができる。所望であれば、図１９に示されるように、望ましくない汚染物質がハウジング５０２に進入することがないように、フィルタ（例えば、細菌、ＨＥＰＡ、ウイルス）５１２を単一のポート５１０に配置することができる。
【００７９】
図２０は、ハウジング５０２内に配置されたいくつかの構成要素を示している患者インターフェイス装置５００の断面図である。例えば圧力ポート３１２、ダイアフラム３２６、リテーナ３２８、ノズル３２９、ベンチュリアセンブリ３３０、ばね３３２、Ｏリング３３４、内側シール面３３８、および管腔３５０など、ハウジング５０２内の構成要素は、ハウジング３０２内の構成要素と同様に機能し、図２０に同様に示されている。図２０において、漸進式シール５５８が、ハウジング５０２の内部に切り抜かれている。とくには、漸進式シール５５８が、内側シール面３３８に形成され、図１５の漸進式シール３５８と同様に機能する。さらに、接続手段５６０が、ハウジング５０２に一体に形成され、入口ポート５０４および出口コネクタポート５０８に同軸な軸に対して斜めに向けられている。
【００８０】
図２１は、ドライバユニットのコネクタブロック６０２と協働するように構成された典型的なコネクタ６００の図である。コネクタ６００を、患者インターフェイス装置をドライバユニットへと素早く接続するために使用することができる。コネクタ６００は、コネクタブロック６０２の該当の開口６１０、６１２、および６１４に流体に関して接続されるポート６０４、６０６、および６０８を備えている。さらに、ポート６０４、６０６、および６０８を、それぞれ患者圧力配管３６、出口配管３２、および補助配管３５へと流体に関して接続することができる。ひとたび配管３２、３５、および３６がコネクタ６００へと接続されると、ポート６０４、６０６、および６０８を、開口６１０、６１２、および６１４内に配置することができる。さらに、コネクタ６００は、タブ収容部６３０および６３２とそれぞれ協働するタブ６２０および６２２を備えている。タブ６２０および６２２は、お互いに向かって押して、タブ収容部６３０および６３２へと挿入することができる弾性部材であってよい。その結果、タブ６２０、６２２の端部のフックが、コネクタ６００がコネクタブロック６０２へと固定されるようにタブ収容部６３０および６３２に係合する。
【００８１】
本発明を、好ましい実施形態に関して説明したが、本発明の技術的思想および技術的範囲から離れることなく、形態および詳細において変更が可能であることを、当業者であれば理解できるであろう。
【図１】
0005470264.tif 000002
【図２】
0005470264.tif 000003
【図３】
0005470264.tif 000004
【図４】
0005470264.tif 000005
【図５】
0005470264.tif 000006
【図６】
0005470264.tif 000007
【図７】
0005470264.tif 000008
【図８】
0005470264.tif 000009
【図９】
0005470264.tif 000010
【図１０】
0005470264.tif 000011
【図１１】
0005470264.tif 000012
【図１２】
0005470264.tif 000013
【図１３】
0005470264.tif 000014
【図１４】
0005470264.tif 000015
【図１５】
0005470264.tif 000016
【図１６】
0005470264.tif 000017
【図１７】
0005470264.tif 000018
【図１８】
0005470264.tif 000019
【図１９】
0005470264.tif 000020
【図２０】
0005470264.tif 000021
【図２１】
0005470264.tif 000022